(57)【要約】【課題】取り込まれた映像と背景映像を合成し、利用者が気に入った合成画像を選択し、コインを投入することによりプリントアウトできるとともに、プリントアウト料により収益を上げることができるプリントシステムを提供する。【解決手段】画像を取り込む画像取り込み装置１７と、記憶された複数の背景画像をサムネイル画像で一覧表示して所望の背景画像のサムネイル画像を選択できるタッチパネルを兼ね、さらに取り込まれた前記画像と選択された前記背景画像を合成した合成画像をサムネイル画像で一覧表示して所望の合成画像のサムネイル画像を選択できるタッチパネルをも兼ねるとともに、選択された前記所望の合成画像を拡大表示するディスプレイ１１を備えるパソコン１０と、選択された前記所望の合成画像をコイン投入によりプリントアウトするプリンター１４を備えているプリントシステム。【選択図】  図１
2005102131.tif 000002
【特許請求の範囲】
【請求項１】
画像を取り込む画像取り込み装置と、
記憶された複数の背景画像をサムネイル画像で一覧表示して所望の背景画像のサムネイル画像を選択できるタッチパネルを兼ね、さらに取り込まれた前記画像と選択された前記背景画像を合成した合成画像をサムネイル画像で一覧表示して所望の合成画像のサムネイル画像を選択できるタッチパネルをも兼ねるとともに、選択された前記所望の合成画像を拡大表示するディスプレイを備えるパソコンと、
選択された前記所望の合成画像をコイン投入によりプリントアウトするプリンターを備えていることを特徴とするプリントシステム。
【請求項２】
前記画像取り込み装置がデジタルカメラ、携帯電話カメラ、テレビカメラあるいはインターネットのサーバのいずれかであることを特徴とする請求項１記載のプリントシステム。
【請求項３】
カラオケボックス内に、
カラオケ装置と、
クロマキー処理用の背景スクリーンの前方に配置された、歌い手を撮影するカメラと、
記憶された複数の背景画像をサムネイル画像で一覧表示して所望の背景画像のサムネイル画像を選択できるタッチパネルを兼ね、さらに撮影された前記歌い手の画像と選択された前記背景画像を合成した合成画像をサムネイル画像で一覧表示して所望の合成画像のサムネイル画像を選択できるタッチパネルをも兼ねるとともに、選択された前記所望の合成画像を拡大表示するディスプレイを備えるパソコンと、
前記合成画像を映し出すモニターテレビと、
前記選択された画像をコイン投入によりプリントアウトするプリンターとを備えていることを特徴とするプリントシステム。
【請求項４】
前記パソコンが、選択された合成映像を携帯電話又はインターネットのサーバに出力可能であることを特徴とする請求項１、２又は３記載のプリントシステム。
【発明の詳細な説明】
【技術分野】
【０００１】
本発明は、取り込まれた画像と背景となる背景画像を合成した合成画像から選択した合成映像がコインの投入によりプリントアウトできるプリントシステムに関する。
【背景技術】
【０００２】
ディスプレイを使用したカラオケボックスやゲームセンターなどの娯楽施設ではディスプレイが活用されている。例えば、カラオケボックスは、テレビの画面に歌に関連のある静止画像あるいは動画像を背景にして歌の伴奏に合わせて歌詞が表示され、歌い手の歌声がマイクを通してスピーカから流れるカラオケ装置を備えている。
【０００３】
しかしながら、前記のカラオケボックスでは歌い手がテレビ画面の歌詞を見ながら歌うだけの楽しみ方しかないことから、カラオケ映像とビデオカメラで撮影した歌い手の映像を合成することが提案されている。
【０００４】
ところが、このカラオケ映像と歌い手の映像を単に合成するだけであることから、特許文献１記載のカラオケボックスではカラオケソフト中の絵柄に合わせて歌い手の映像を合成に適した映像として自動的に撮影可能となるため、合成された画像が不自然さを伴うことなく作成可能となっている。さらにクロマキーを使用した映像合成の場合には背景色を被写体の服の色に合わせて変えることが可能となり鮮明に被写体の映像を抽出することが可能になる。
【特許文献１】特開平７−４６６０６号公報
【発明の開示】
【発明が解決しようとする課題】
【０００５】
しかしながら、従来のカラオケボックスは、単にカラオケの使用中に歌い手とカラオケソフトのそれぞれの映像を合成したテレビ画面をみて楽しむだけにとどまっており、特にその楽しさを思い出や記念に形として残すものがないので、時間がたってしまえば忘れられていく。
【０００６】
また、従来のカラオケボックスの収益は、主としてカラオケボックスの使用料であり、それ以上の大幅な収益の増加は望めないのが現状である。カラオケボックス以外のディスプレイを使用した娯楽施設においても同様である。
【０００７】
そこで、本発明は、取り込まれた映像と背景映像を合成し、利用者が気に入った合成画像を選択し、コインを投入することによりプリントアウトできるとともに、プリントアウト料により収益を上げることができるプリントシステムを提供するものである。
【課題を解決するための手段】
【０００８】
本発明のプリントシステムは、画像を取り込む画像取り込み装置と、記憶された複数の背景画像をサムネイル画像で一覧表示して所望の背景画像のサムネイル画像を選択できるタッチパネルを兼ね、さらに取り込まれた前記画像と選択された前記背景画像を合成した合成画像をサムネイル画像で一覧表示して所望の合成画像のサムネイル画像を選択できるタッチパネルをも兼ねるとともに、選択された前記所望の合成画像を拡大表示するディスプレイを備えるパソコンと、選択された前記所望の合成画像をコイン投入によりプリントアウトするプリンターを備えていることを特徴とする。
【０００９】
前記画像取り込み装置には、デジタルカメラ、携帯電話カメラ、テレビカメラあるいはインターネットのサーバのいずれかを使用することができる。
【００１０】
また、本発明のプリントシステムは、カラオケボックスで使用する場合、カラオケボックス内に、カラオケ装置と、クロマキー処理用の背景スクリーンの前方に配置された、歌い手を撮影するカメラと、記憶された複数の背景画像をサムネイル画像で一覧表示して所望の背景画像のサムネイル画像を選択できるタッチパネルを兼ね、さらに撮影された前記歌い手の画像と選択された前記背景画像を合成した合成画像をサムネイル画像で一覧表示して所望の合成画像のサムネイル画像を選択できるタッチパネルをも兼ねるとともに、選択された前記所望の合成画像を拡大表示するディスプレイを備えるパソコンと、前記合成画像を映し出すモニターテレビと、前記選択された画像をコイン投入によりプリントアウトするプリンターとを備えていることを特徴とする。
【００１１】
選択された合成映像は、携帯電話又はインターネットのサーバに出力可能にして転送できるようにしてもよい。
【発明の効果】
【００１２】
本発明は、取り込まれた画像と背景画像を合成し、利用者が気に入った合成画像を選択し、コインを投入することによりプリントアウトするので、プリントアウト料により収益を上げることができ、カラオケボックスの場合、カラオケボックスの使用料以外にプリントアウト料により収益を挙げることができる。
【００１３】
本発明のプリントスシステムにより、プリントによって楽しさを思い出や記念として残すことができる。カラオケの場合、歌い手がＴＶ局スタジオでのタレント風に合成撮影できる。また、気に入った合成画像を選択してプリントクラブ風にプリントアウトすることができ、さらにプリントアウト料により従来のカラオケシステムに比べて収益を上げることが可能となり、従来のカラオケボックスのマンネリ化をなくすことができる。
【００１４】
また、携帯電話をパソコンに接続してプリントアウトでき、また携帯電話からインターネットを利用して画像の転送も可能となる。また、従来型のカラオケ装置に手を加えることなく、簡単に本システムを導入することができる。また、映像を利用したゲーム機などにも応用可能である。
【発明を実施するための最良の形態】
【００１５】
以下、本発明を実施例により説明する。
【実施例１】
【００１６】
図１は本発明のプリントシステムの概略を示す斜視図、図２はパソコンのディスプレイの表示とプリントアウトの状態を示す概略図である。
【００１７】
図１において、プリントシステムは、画像を取り込むための携帯電話カメラ１７と、取り込まれた画像と背景となる画像を処理して得られた合成画像を表示するディスプレイ１１を有するパソコン１０を備え、コイン投入により選択された合成画像がプリンター１４からプリントアウトされる。
【００１８】
図１では画像を取り込む画像取り込み装置として携帯電話カメラ１７の例を示しているが、携帯電話カメラに変えてデジタルカメラ、携帯電話カメラ、テレビカメラあるいはインターネットのサーバ等の画像データを出力するものを使用することができる。携帯電話カメラ１７からの画像は、パソコン１０に入力されて画像メモリに記憶される。
【００１９】
パソコン１０には取り込まれた画像の背景となる、複数の背景画像を記憶する背景メモリを備えている。背景画像はインターネットのサーバーから入力して追加あるいは変更できるようにしてもよい。これらの複数の背景画像１２はディスプレイ１１に図２（ａ）に示すようにサムネイル画像で一覧表示される。ディスプレイ１１はタッチパネルを兼ねており、一覧表示された背景画像の中から所望のサムネイル画像をタッチして選択することができる。
【００２０】
図２（ｂ）に示すように、選択された背景画像１２と携帯電話カメラ１７から取り込まれた画像６は画像処理されて合成され、合成画像１３がディスプレイ１１に表示される。
【００２１】
こうして複数の合成画像の作成が終了すると、図２（ｃ）に示すように複数の合成画像がサムネイル画像で一覧表示する。一覧表示された合成画像の中から所望のサムネイル画像にタッチして選択すると、図２（ｄ）に示すように選択された合成画像が拡大表示される。
【００２２】
選択した合成画像をプリントアウトしたいときは、コイン投入口１５にコインを投入すると、プリンター１４が作動してシート１６にプリントアウトされる。
【００２３】
なお、パソコン１０に記憶された合成映像を携帯電話１７へ取り込めるようにすることもできる。またパソコン１０あるいは携帯電話１７からインターネットを利用して映像の転送も可能である。
【実施例２】
【００２４】
図３は本発明の別実施例を示す図で、図１に示す実施例と同一構成には同一符号を付してその説明は省略する。本実施例はディスプレイ１１をテーブル１８に設けたものである。
【００２５】
テーブル１８にディスプレイ１１を設けることにより、掛けたままで飲食や歓談等をしているシーンを携帯電話カメラ１７で取り込み、パソコン１０に転送し、実施例１と同様にして合成画像を作成し、コインを投入してプリントアウトすることができる。
【実施例３】
【００２６】
図４は本発明のプリントシステムをカラオケボックスに利用した場合の全体図である。カラオケボックス１内にはカラオケ装置２が配置されるとともに、歌い手が立つステージ３が設けられ、ステージ３の後方にはクロマキー処理用の青色の背景スクリーン４が配置される。
【００２７】
背景スクリーン４の表側と裏側には背景の色や模様を変えるための照明５がそれぞれ配置される。背景スクリーン４の前方には、ステージ３上の歌い手６を撮影するカメラ７が配置される。カメラ７で撮影した歌い手６と背景の合成画像はモニターテレビ８に表示される。カメラ７に立体カメラを使用した場合には立体めがね９でモニターテレビ８の立体映像が見られるようにする。照明５、カメラ７およびモニターテレビ８はそれぞれパソコン１０に接続され、制御される。
【００２８】
パソコン１０のディスプレイ１１は、図２（ａ）に示すようにメモリに記憶されているクロマキー処理する複数の背景画像１２をサムネイル画像に一覧表示される表示された背景映像をタッチして選択すると、図３（ｂ）に示すように、選択された背景画像１２と歌い手６の画像を合成した合成画像１３のサムネイル画像が表示される。なお、背景画像は実施例１と同様にインターネットのサーバーから入力して追加あるいは変更できるようにしてもよい。パソコン１０は、図２（ｄ）に示すようにプリンター１４を備えている。プリンター１４はコイン投入口１５からのコインの投入が検出されると、選択された合成画像１３がシート１６にプリントされる。
【００２９】
カラオケボックスの使用例について説明する。
【００３０】
歌い手６は、クロマキー処理用の青色の背景スクリーン４を背景にして立ち、歌が始まるとカメラ７が自動的に撮影を開始する。パソコン１０は自動的に歌い手６を取込む。
【００３１】
パソコン１０のメモリに入力されているクロマキー処理する複数の背景画像１２から選択した背景映像と取込んだ歌い手６の画像を合成し、合成画像１３をモニターテレビ８に映し出す。カメラ７として、立体カメラを使用した場合には立体メガネ９によりモニターテレビ８で立体映像を楽しむことができる。
【００３２】
歌が終了後、サムネイル化された合成画像１３をタッチすることにより拡大画像に変わり、コインを投入することによりプリントアウトされる。
【産業上の利用可能性】
【００３３】
ディスプレイを利用した娯楽施設やカラオケボックスの収益を上げるために利用できる。
【図面の簡単な説明】
【００３４】
【図１】本発明のプリントシステムの概略を示す斜視図である。
【図２】パソコンのディスプレイの表示とプリントアウトの状態を示す概略図である。
【図３】本発明の別実施例を示す図である。
【図４】本発明のプリントシステムをカラオケボックスに利用した場合の全体図である。
【符号の説明】
【００３５】
１：カラオケボックス  ２：カラオケ装置
３：ステージ          ４：背景スクリーン
５：照明              ６：歌い手
７：カメラ            ８：モニターテレビ
９：立体めがね      １０：パソコン
１１：ディスプレイ    １２：背景画像
１３：合成画像        １４：プリンター
１５：コイン投入口    １６：シート
１７：携帯電話        １８：テーブル
【図１】
2005102131.tif 000003
【図２】
2005102131.tif 000004
【図３】
2005102131.tif 000005
【図４】
2005102131.tif 000006